(57)【要約】      （修正有）【課題】テークアップ調整時にコンベヤケース内の塵芥を確実に封止して漏出を阻止するとともに簡便なテークアップ操作を実現するコンベヤテークアップ機構を提供すること。【解決手段】コンベヤケース１１０のケース側壁１１１にチェーン張力方向に沿って設けたケース長穴１１１ａからテークアップ軸１３０を突出させた状態でケース長穴１１１ａを被覆する防塵板１４０と、この防塵板１４０から突出するテークアップ軸１３０を軸支した軸受スライダーと、この軸受スライダーをチェーン張力方向に沿って進退自在に移動させるテークアップスピンドル１６０とを備え、テークアップスピンドル１６０に連結される防塵板押さえ部材１８０が防塵板１４０と面接触して押圧する防塵板固定位置とこの防塵板固定位置からチェーン張力方向に離間して防塵板１４０と離脱する防塵板解放位置との間で移動するように設けられているコンベヤテークアップ機構１００。【選択図】図１
2011131989.tif 000002
【特許請求の範囲】
【請求項１】
コンベヤケース内のコンベヤチェーンを掛け回すスプロケットを装着したテークアップ軸と前記コンベヤケースのケース側壁にチェーン張力方向に沿って設けたケース長穴からテークアップ軸を突出させた状態でケース長穴を被覆する防塵板と該防塵板から突出するテークアップ軸を軸支した軸受スライダーと該軸受スライダーをチェーン張力方向に沿って進退自在に移動させるテークアップスピンドルとを備えたコンベヤテークアップ機構において、
前記テークアップスピンドルに連結される防塵板押さえ部材が、前記防塵板と面接触して押圧するケース側壁の防塵板固定位置と該防塵板固定位置からチェーン張力方向に離間して防塵板と離脱するケース側壁の防塵板解放位置との間で移動するように設けられていることを特徴とするコンベヤテークアップ機構。
【請求項２】
前記防塵板押さえ部材が、前記ケース側壁の防塵板固定位置に固設した押圧助成片に摺接して防塵板に向けて押圧される突起部分を備えていることを特徴とする請求項１記載のコンベヤテークアップ機構。
【請求項３】
前記防塵板押さえ部材の突起部分が、前記防塵板固定位置の押圧助成片にチェーン張力方向に沿って摺接する摺接曲面で構成されていることを特徴とする請求項１または請求項２記載のコンベヤテークアップ機構。
【請求項４】
前記防塵板押さえ部材が、前記テークアップスピンドルに螺合したリセット用ナットをスピンドル軸方向で挟み込んだ一対の軸支ブラケットを備えていることを特徴とする請求項１乃至請求項３のいずれか１つに記載のコンベヤテークアップ機構。
【請求項５】
前記テークアップ軸が、前記防塵板押さえ部材のチェーン張力方向に沿って設けたスライド長穴に挿通されていることを特徴とする請求項１乃至請求項４のいずれか１つに記載のコンベヤテークアップ機構。
【請求項６】
前記テークアップ軸に嵌挿するパッキン板が、前記コンベヤケースのケース側壁と防塵板との間に介在していることを特徴とする請求項１乃至請求項５のいずれか１つに記載のコンベヤテークアップ機構。
【発明の詳細な説明】
【技術分野】
【０００１】
本発明は、穀類の粉体、流体、その他粉粒物などの粉粒体をコンベヤケース内で循環走行するコンベヤチェーンに取り付けた掻取板もしくはバケットを使って搬送するコンベヤにおいてコンベヤチェーンの張力や軸位置を調節するコンベヤテークアップ機構に関するものである。
【背景技術】
【０００２】
従来、粉粒体をコンベヤケース内で循環走行するコンベヤチェーンに取り付けた掻取板を使って搬送するコンベヤにおいて、図７に示すように、コンベヤケース５０２内のコンベヤチェーン５１７を掛け回すスプロケット５０９を装着したテークアップ軸として機能する従動軸５０８と、コンベヤケース５０２のケース側壁５０５にチェーン張力方向に沿って設けた従動スライド用長穴５１９から従動軸５０８を突出させた状態で軸支する軸受スライダーからなる軸受５１０と、この軸受５１０を可動部材５１１を介してチェーン張力方向に沿って進退自在に移動させるテークアップスピンドルとして機能するスクリューロッド５１２を備えて、コンベヤチェーン５１７の張力や従動軸位置を調節するコンベヤテークアップ機構５００は、広く知られている（例えば、特許文献１参照）。
【０００３】
そして、このような従来のコンベヤテークアップ機構５００には、テークアップの操作で可動部材５１１が動いても従動スライド用長穴５１９を常に覆ってコンベヤケース５０２内の塵芥が外に漏れ出さないように、図示しないが防塵板が可動部材５１１に取り付けられている。
また、コンベヤケース５０２のケース側壁には、テークアップの動作で移動した可動部材５１１を移動しないように固定する押さえねじ５２２を４カ所にそれぞれ設けた、所謂、押さえねじ方式により、可動部材５１１を固定している。
【先行技術文献】
【特許文献】
【０００４】
【特許文献１】特開２００７−２０４２１０号公報（第１頁、図１）
【発明の概要】
【発明が解決しようとする課題】
【０００５】
しかしながら、前述したような従来のコンベヤテークアップ機構５００では、テークアップ調整を行う際に、まず、４カ所の押さえねじ５２２を緩めて可動部材５１１を移動することにより、テークアップ軸として機能する従動軸５０８を変位させてコンベヤチェーン５１７の張力を調節した後に、４カ所の押さえねじ５２２を締め付けて可動部材５１１を固定しなければならないという多段階の作業工数を必要とするというテークアップ操作上の厄介な問題があった。
【０００６】
特に、４カ所の押さえねじ５２２が均一に締め付けられていない場合には、従動スライド用長穴５１９を覆っていた可動部材５１１が不用意にズレ動いてコンベヤケース５０２内の塵芥が外に漏れ出すという虞れがあるという問題があり、しかも、押さえねじ５２２の先端が４カ所で図示しない防塵板を不均一に押さえ込んでいるため、テークアップ調整を行う毎に防塵板が損傷し易くなるという部品取り扱い上の厄介な問題があった。
【０００７】
そこで、本発明は、従来の問題を解決するものであって、すなわち、本発明の目的は、テークアップ調整時にコンベヤケース内の塵芥を確実に封止して漏出を阻止するとともに簡便なテークアップ操作を実現するコンベヤテークアップ機構を提供することである。
【課題を解決するための手段】
【０００８】
請求項１に係る本発明は、コンベヤケース内のコンベヤチェーンを掛け回すスプロケットを装着したテークアップ軸と前記コンベヤケースのケース側壁にチェーン張力方向に沿って設けたケース長穴からテークアップ軸を突出させた状態でケース長穴を被覆する防塵板と該防塵板から突出するテークアップ軸を軸支した軸受スライダーと該軸受スライダーをチェーン張力方向に沿って進退自在に移動させるテークアップスピンドルとを備えたコンベヤテークアップ機構において、前記テークアップスピンドルに連結される防塵板押さえ部材が、前記防塵板と面接触して押圧するケース側壁の防塵板固定位置と該防塵板固定位置からチェーン張力方向に離間して防塵板と離脱するケース側壁の防塵板解放位置との間で移動するように設けられていることにより、前述した課題を解決したものである。
【０００９】
請求項２に係る本発明は、請求項１に係る発明の構成に加えて、前記防塵板押さえ部材が、前記ケース側壁の防塵板固定位置に固設した押圧助成片に摺接して防塵板に向けて押圧される突起部分を備えていることにより、前述した課題をさらに解決したものである。
【００１０】
請求項３に係る本発明は、請求項１または請求項２に係る発明の構成に加えて、前記防塵板押さえ部材の突起部分が、前記防塵板固定位置の押圧助成片にチェーン張力方向に沿って摺接する摺接曲面で構成されていることにより、前述した課題をさらに解決したものである。
【００１１】
請求項４に係る本発明は、請求項１乃至請求項３のいずれか１つに係る発明の構成に加えて、前記防塵板押さえ部材が、前記テークアップスピンドルに螺合したリセット用ナットをスピンドル軸方向で挟み込んだ一対の軸支ブラケットを備えていることにより、前述した課題をさらに解決したものである。
【００１２】
請求項５に係る本発明は、請求項１乃至請求項４のいずれか１つに係る発明の構成に加えて、前記テークアップ軸が、前記防塵板押さえ部材のチェーン張力方向に沿って設けたスライド長穴に挿通されていることにより、前述した課題をさらに解決したものである。
【００１３】
請求項６に係る本発明は、請求項１乃至請求項５のいずれか１つに係る発明の構成に加えて、前記テークアップ軸に嵌挿するパッキン板が、前記コンベヤケースのケース側壁と防塵板との間に介在していることにより、前述した課題をさらに解決したものである。
【発明の効果】
【００１４】
そこで、本発明のコンベヤテークアップ機構は、コンベヤケース内のコンベヤチェーンを掛け回すスプロケットを装着したテークアップ軸と前記コンベヤケースのケース側壁にチェーン張力方向に沿って設けたケース長穴からテークアップ軸を突出させた状態でケース長穴を被覆する防塵板とこの防塵板から突出するテークアップ軸を軸支した軸受スライダーとこの軸受スライダーをチェーン張力方向に沿って進退自在に移動させるテークアップスピンドルとを備えていることにより、コンベヤチェーンの張力やテークアップ軸の軸支位置を調節することができるばかりでなく、以下のような本発明に特有の効果を奏することができる。
【００１５】
すなわち、請求項１に係る本発明のコンベヤテークアップ機構は、テークアップスピンドルに連結される防塵板押さえ部材が、防塵板と面接触して押圧するケース側壁の防塵板固定位置とこの防塵板固定位置からチェーン張力方向に離間して防塵板と離脱するケース側壁の防塵板解放位置との間で移動するように設けられていることにより、通常の搬送稼働時には防塵板押さえ部材がケース側壁の防塵板固定位置で防塵板と全面で面接触してケース側壁のケース長穴を覆うように押圧しているため、従来のような４本の押さえねじ方式によるコンベヤテークアップ機構に比較すると、コンベヤケース内の塵芥を確実に封止して漏出を阻止し、また、テークアップ調整時にはテークアップスピンドルに連動する防塵板押さえ部材がケース側壁の防塵板解放位置へ移動して防塵板と離脱すると同時に、防塵板押さえ部材から解放された防塵板がテークアップスピンドルと軸受スライダーを介して連動するテークアップ軸に嵌挿されたままチェーン張力方向にスライド移動するため、コンベヤケース内の塵芥を確実に封止して漏出を阻止するとともに簡便なテークアップ操作を実現することができる。
【００１６】
請求項２に係る本発明のコンベヤテークアップ機構によれば、請求項１に係る発明が奏する効果に加えて、防塵板押さえ部材がケース側壁の防塵板固定位置に固設した押圧助成片に摺接して防塵板に向けて押圧される突起部分を備えていることにより、通常の搬送稼働時に防塵板押さえ部材の突起部分と押圧助成片との簡素な摺接状態で防塵板と防塵板押さえ部材との全面接触による均一な押圧状態が達成されるため、防塵板がケース側壁のケース長穴を隙間なく完全に覆うように押圧してコンベヤケース内の塵芥をより確実に封止することができる。
【００１７】
請求項３に係る本発明は、請求項１または請求項２に記載の発明が奏する効果に加えて、防塵板押さえ部材の突起部分が防塵板固定位置の押圧助成片にチェーン張力方向に沿って摺接する摺接曲面で構成されていることにより、防塵板押さえ部材の突起部分と押圧助成片とが摺接曲面上のチェーン張力方向に沿った円滑な押し引きを達成するため、動力負担の少ない円滑なテークアップ操作を実現することができる。
【００１８】
請求項４に係る本発明のコンベヤテークアップ機構によれば、請求項１乃至請求項３のいずれか１つに係る発明が奏する効果に加えて、防塵板押さえ部材がテークアップスピンドルに螺合したリセット用ナットをスピンドル軸方向で挟み込んだ一対の軸支ブラケットを備えていることにより、手動で工具などを用いて回動するリセット用ナットがスピンドル軸方向に沿って移動すると、このリセット用ナットに連動する軸支ブラケットを備えた防塵板押さえ部材がチェーン張力方向に移動するため、防塵板押さえ部材を防塵板と離脱した防塵板解放位置から防塵板と面接触して押圧する防塵板固定位置へ復帰させることができる。
【００１９】
請求項５に係る本発明のコンベヤテークアップ機構によれば、請求項１乃至請求項４のいずれか１つに係る発明が奏する効果に加えて、テークアップ軸が防塵板押さえ部材のチェーン張力方向に沿って設けたスライド長穴に挿通されていることにより、防塵板押さえ部材を防塵板と離脱した防塵板解放位置から防塵板と面接触して押圧する防塵板固定位置へ復帰させる際に、テークアップ軸を防塵板押さえ部材のスライド長穴に挿通させたままで、防塵板押さえ部材チェーン張力方向に円滑にスライド移動することができる。
【００２０】
請求項６に係る本発明のコンベヤテークアップ機構によれば、請求項１乃至請求項５の１つに係る発明が奏する効果に加えて、テークアップ軸に嵌挿するパッキン板がコンベヤケースのケース側壁と防塵板との間に介在していることにより、パッキン板がコンベヤケースのケース側壁と防塵板との間に生じがちな隙間を埋め尽くすため、通常の搬送稼働時にコンベヤケース内の塵芥を確実に封止して漏出を阻止することができる。
【図面の簡単な説明】
【００２１】
【図１】本発明の第１実施例であるコンベヤテークアップ機構の側面図。
【図２】図１に示すコンベヤテークアップ機構のＸ１−Ｘ１方向から見た断面図。
【図３】図１に示すコンベヤテークアップ機構のＸ２−Ｘ２方向から見た断面図。
【図４】図１に示すコンベヤテークアップ機構の組み立て分解図。
【図５】軸受スライダーとテークアップスピンドルを分解したコンベヤテークアップ機構の斜視図。
【図６】図１に示すコンベヤテークアップ機構のテークアップ動作手順を示す図。
【図７】従来のコンベヤテークアップ機構の側面図。
【発明を実施するための形態】
【００２２】
本発明は、コンベヤケース内のコンベヤチェーンを掛け回すスプロケットを装着したテークアップ軸と前記コンベヤケースのケース側壁にチェーン張力方向に沿って設けたケース長穴からテークアップ軸を突出させた状態でケース長穴を被覆する防塵板とこの防塵板から突出するテークアップ軸を軸支した軸受スライダーとこの軸受スライダーをチェーン張力方向に沿って進退自在に移動させるテークアップスピンドルとを備えたコンベヤテークアップ機構において、テークアップスピンドルに連結される防塵板押さえ部材が防塵板と面接触して押圧するケース側壁の防塵板固定位置とこの防塵板固定位置からチェーン張力方向に離間して防塵板と離脱するケース側壁の防塵板解放位置との間で移動するように設けられ、テークアップ調整時にコンベヤケース内の塵芥を確実に封止して漏出を阻止するとともに簡便なテークアップ操作を実現するものであれば、その具体的な態様は、如何なるものであっても構わない。
【００２３】
すなわち、本発明のコンベヤテークアップ機構は、穀類の粉体、流体、その他粉粒物などの粉粒体をコンベヤケース内で循環走行するコンベヤチェーンで搬送するコンベヤであれば適用することが可能であり、例えば、掻取板を取り付けたコンベヤチェーンで搬送するコンベヤ、あるいは、バケットを取り付けたコンベヤチェーンで搬送するコンベヤのいずれであっても何ら構わない。
【００２４】
そして、本発明のコンベヤテークアップ機構を用いる掻取板を取り付けたコンベヤチェーンで搬送するコンベヤ、あるいは、バケットを取り付けたコンベヤチェーンで搬送するコンベヤの具体的な搬送経路は、垂直搬送、水平搬送の何れであっても良い。
【００２５】
また、本発明のコンベヤテークアップ機構におけるテークアップ軸については、コンベヤケース内のコンベヤチェーンを掛け回すスプロケットを装着する駆動軸または従動軸の何れであっても良いが、保守メンテナンス操作上、従動軸であることが好ましい。
【００２６】
さらに、本発明のコンベヤテークアップ機構で用いる防塵板押さえ部材については、防塵板と面接触して押圧するケース側壁の防塵板固定位置とこの防塵板固定位置からチェーン張力方向に離間して防塵板と離脱するケース側壁の防塵板解放位置との間で移動するように設けられるものであれば如何なるものであっても良いが、金属製プレートを用いた場合には、長期のテークアップ操作において防塵板を固定する際に要する優れた弾力性や移動時の摺動熱に対する耐熱性を発揮することができるのでより好ましい。
【実施例】
【００２７】
以下、本発明の実施例であるコンベヤテークアップ機構１００を図１乃至図６に基づいて説明する。
ここで、図１は、本発明の第１実施例であるコンベヤテークアップ機構の側面図であり、図２は、図１に示すコンベヤテークアップ機構のＸ１−Ｘ１方向から見た断面図であり、図３は、図１に示すコンベヤテークアップ機構のＸ２−Ｘ２方向から見た断面図であり、図４は、図１に示すコンベヤテークアップ機構の組み立て分解図であり、図５は、軸受スライダーとテークアップスピンドルを分解したコンベヤテークアップ機構の斜視図であり、図６は、図１に示すコンベヤテークアップ機構のテークアップ動作手順を示す図である。
【００２８】
まず、本発明の第１実施例であるコンベヤテークアップ機構１００は、図１乃至図５に示すように、穀類の粉体、流体、その他粉粒物などの粉粒体をコンベヤケース１１０内で循環走行する左右一対のコンベヤチェーン１２０、１２０に取り付けた掻取板１２１を使って搬送するコンベヤに組付けられたものであって、左右一対のコンベヤチェーン１２０、１２０を掛け回す左右一対のスプロケット１３１、１３１を装着した従動軸からなるテークアップ軸１３０と、コンベヤケース１１０のケース側壁１１１にチェーン張力方向に沿って設けた左右一対のケース長穴１１１ａ、１１１ａからテークアップ軸１３０の両端をそれぞれ突出させた状態でこれらのケース長穴１１１ａを被覆する矩形短冊状の防塵板１４０と、これらの防塵板１４０から突出するテークアップ軸１３０を軸支した軸受部１５１を有する左右一対の軸受スライダー１５０と、これらの軸受スライダー１５０をチェーン張力方向に沿ってそれぞれ進退自在に移動させるスクリューロッド１６１を有する左右一対のテークアップスピンドル１６０とを備えている。
【００２９】
なお、図１乃至図５に示す符号１４１は、矩形短冊状の防塵板１４０にテークアップ軸１３０を貫通させる軸穴であり、符号１４２は、防塵板１４０に添着して合体したシール板であり、符号１５２は、前述したテークアップスピンドル１６０のスクリューロッド１６１の後端に固着したフォーク状接続体であって軸受スライダー１５０の一部を構成するものであり、符号１６２は、前述したテークアップスピンドル１６０のスクリューロッド１６１をコンベヤケース１１０のケース側壁１１１から抜け止めする抜け止め用カラーである。
【００３０】
そして、前述したテークアップスピンドル１６０は、コンベヤケース１１０の左右一対のケース側壁１１１、１１１にそれぞれ設けられているため、これら左右一対のテークアップスピンドル１６０、１６０は、連動チェーン１７０を介して同期しながら図示してない駆動源により回転し、左右一対の軸受スライダー１５０、１５０をチェーン張力方向に沿ってそれぞれ進退自在に移動させてテークアップするようになっている。
【００３１】
ここで、本実施例のコンベヤテークアップ機構１００が最も特徴とする防塵板押さえ部材１８０について、以下に説明する。
まず、前述したテークアップスピンドル１６０に連結される防塵板押さえ部材１８０は、防塵板１４０を押圧するケース側壁１１１の防塵板固定位置Ｔ１とこの防塵板固定位置Ｔ１からチェーン張力方向に離間して防塵板１４０と離脱するケース側壁１１１の防塵板解放位置Ｔ２との間で移動するように設けられている。
これにより、通常の搬送稼働時に、防塵板押さえ部材１８０は、ケース側壁１１１の防塵板固定位置Ｔ１で防塵板１４０と全面で面接触してケース側壁１１１のケース長穴１１１ａを覆うように押圧し、また、テークアップ調整時には、テークアップスピンドル１６０に連動する防塵板押さえ部材１８０がケース側壁１１１の防塵板解放位置Ｔ２へ移動して防塵板１４０と離脱すると同時に、防塵板押さえ部材１８０から解放された防塵板１４０がテークアップスピンドル１６０と軸受スライダー１５０を介して連動するテークアップ軸１３０に嵌挿されたままチェーン張力方向にスライド移動自在になっている。
【００３２】
また、前述した防塵板押さえ部材１８０は、ケース側壁１１１の防塵板固定位置Ｔ１に固設した２カ所の押圧助成片１１２、１１２に摺接して防塵板１４０に向けて押圧される２つの突起部分１８１、１８１を備えている。
これにより、通常の搬送稼働時に、防塵板押さえ部材１８０の突起部分１８１、１８１と押圧助成片１１２、１１２との単純な摺接のみで防塵板１４０と防塵板押さえ部材１８０との全面接触による均一な押圧状態を達成している。
【００３３】
そして、前述した防塵板押さえ部材１８０の突起部分１８１、１８１は、防塵板固定位置Ｔ１の押圧助成片１１２、１１２にチェーン張力方向に沿って摺接する摺接曲面で構成されている。
これにより、防塵板押さえ部材１８０の突起部分１８１、１８１と押圧助成片１１２、１１２とが摺接曲面上のチェーン張力方向に沿った円滑な押し引きを達成し、動力負担の少ない円滑なテークアップ操作を実現している。
【００３４】
さらに、前述した防塵板押さえ部材１８０は、テークアップスピンドル１６０に螺合したリセット用ナット１９０をスピンドル軸方向で挟み込んだ一対の軸支ブラケット１８２、１８２を備えている。
これにより、手動で回動するリセット用ナット１９０がスピンドル軸方向に沿って移動すると、このリセット用ナット１９０に連動する軸支ブラケット１８２、１８２を備えた防塵板押さえ部材１８０がチェーン張力方向に移動するため、防塵板押さえ部材１８０を防塵板１４０と離脱した防塵板解放位置Ｔ２から防塵板１４０を押圧する防塵板固定位置Ｔ１へ復帰させることが可能になっている。
【００３５】
ここで、前述したテークアップ軸１３０は、防塵板押さえ部材１８０のチェーン張力方向に沿って設けたスライド長穴１８３に挿通されている。
これにより、防塵板押さえ部材１８０を防塵板１４０と離脱した防塵板解放位置Ｔ２から防塵板１４０を押圧する防塵板固定位置Ｔ１へ復帰させる際に、テークアップ軸１３０を防塵板押さえ部材１８０のスライド長穴１８３に挿通させたままで、防塵板押さえ部材１８０をチェーン張力方向にスライド移動することが可能になっている。
【００３６】
また、前述したテークアップ軸１３０に嵌挿するパッキン板１４３が、コンベヤケース１１０のケース側壁１１１と防塵板１４０との間に介在するように、ケース側壁１１１に対向して防塵板１４０に添着されている。
これにより、パッキン板１４３は、コンベヤケース１１０のケース側壁１１１と防塵板１４０との間に生じがちな隙間を埋め尽くし、通常の搬送稼働時にコンベヤケース１１０内の塵芥をより確実に封止して漏出を阻止している。
【００３７】
つぎに、本実施例のコンベヤテークアップ機構１００のテークアップ操作方法について、図６に基づいて説明する。
まず、通常の搬送稼働時には、図６（ａ）に示すように、防塵板押さえ部材１８０が、ケース側壁１１１の防塵板固定位置Ｔ１で防塵板１４０と全面で面接触してケース側壁１１１のケース長穴１１１ａを覆うように押圧し、コンベヤケース１１０内の塵芥を確実に封止して漏出を阻止する。
この時、防塵板押さえ部材１８０の突起部分１８１が押圧助成片１１２に摺接して、この防塵板押さえ部材１８０と防塵板１４０との全面接触による均一な押圧状態となり、防塵板１４０がケース側壁１１１のケース長穴１１１ａを隙間なく完全に覆う。
【００３８】
そして、テークアップ調整時には、図６（ｂ）に示すように、テークアップスピンドル１６０に連動する防塵板押さえ部材１８０が、ケース側壁１１１の防塵板解放位置Ｔ２へ移動して防塵板１４０と離脱すると同時に、防塵板押さえ部材１８０から解放された防塵板１４０が、テークアップスピンドル１６０と軸受スライダー１５０を介して連動するテークアップ軸１３０に嵌挿されたままチェーン張力方向にスライド移動する。
この時、防塵板押さえ部材１８０の突起部分１８１が摺接曲面で構成されているため、防塵板押さえ部材１８０の摺接曲面を有する突起部分１８１が押圧助成片１１２に対してチェーン張力方向に沿って円滑に移動する。
【００３９】
さらに、防塵板押さえ部材１８０を防塵板１４０と離脱した防塵板解放位置Ｔ２から防塵板１４０を押圧する防塵板固定位置Ｔ１へ復帰させる際には、図６（ｃ）に示すように、手動で工具などを用いてリセット用ナット１９０を回動させてスピンドル軸方向に沿って移動させると、このリセット用ナット１９０に連動する軸支ブラケット１８２を備えた防塵板押さえ部材１８０が、防塵板１４０を押圧する防塵板固定位置Ｔ１へ復帰し、一連のテークアップ操作が完了する。
【００４０】
このようにして得られた本実施例のコンベヤテークアップ機構１００は、コンベヤケース１１０内のコンベヤチェーン１２０を掛け回すスプロケット１３１を装着したテークアップ軸１３０とこのコンベヤケース１１０のケース側壁１１１にチェーン張力方向に沿って設けたケース長穴１１１ａからテークアップ軸１３０を突出させた状態でケース長穴１１１ａを被覆する防塵板１４０とこの防塵板１４０から突出するテークアップ軸１３０を軸支した軸受スライダー１５０とこの軸受スライダー１５０をチェーン張力方向に沿って進退自在に移動させるテークアップスピンドル１６０とを備えていることにより、コンベヤチェーンの張力やテークアップ軸１３０の軸支位置を調節することができるばかりでなく、テークアップスピンドル１６０に連結される防塵板押さえ部材１８０が、防塵板１４０と面接触して押圧するケース側壁１１１の防塵板固定位置Ｔ１とこの防塵板固定位置Ｔ１からチェーン張力方向に離間して防塵板１４０と離脱するケース側壁１１１の防塵板解放位置Ｔ２との間で移動するように設けられていることにより、従来のような４本の押さえねじ方式によるコンベヤテークアップ機構５００に比較すると、コンベヤケース１１０内の塵芥を確実に封止して漏出を阻止するとともに簡便なテークアップ操作を実現することができる。
【００４１】
そして、防塵板押さえ部材１８０がケース側壁１１１の防塵板固定位置Ｔ１に固設した押圧助成片１１２に摺接して防塵板１４０に向けて押圧される突起部分１８１を備えていることにより、通常の搬送稼働時に防塵板１４０がケース側壁１１１のケース長穴１１１ａを隙間なく完全に覆うように押圧してコンベヤケース１１０内の塵芥をより確実に封止し、さらに、防塵板押さえ部材１８０の突起部分１８１が防塵板固定位置Ｔ１の押圧助成片１１２にチェーン張力方向に沿って摺接する摺接曲面で構成されていることにより、動力負担の少ない円滑なテークアップ操作を実現することができるなど、その効果は甚大である。
【符号の説明】
【００４２】
１００  ・・・  コンベヤテークアップ機構
１１０  ・・・  コンベヤケース
１１１  ・・・  ケース側壁
１１１ａ・・・  ケース長穴
１１２  ・・・  押圧助成片
１２０  ・・・  コンベヤチェーン
１２１  ・・・  掻取板
１３０  ・・・  テークアップ軸
１３１  ・・・  スプロケット
１４０  ・・・  防塵板
１４１  ・・・  軸穴
１４２  ・・・  シール板
１４３  ・・・  パッキン板
１５０  ・・・  軸受スライダー
１５１  ・・・  軸受部
１５２  ・・・  フォーク状接続体
１６０  ・・・  テークアップスピンドル
１６１  ・・・  スクリューロッド
１６２  ・・・  抜け止め用カラー
１７０  ・・・  連動チェーン
１８０  ・・・  防塵板押さえ部材
１８１  ・・・  突起部分
１８２  ・・・  軸支ブラケット
１８３  ・・・  スライド長穴
１９０  ・・・  リセット用ナット
Ｔ１  ・・・  防塵板固定位置
Ｔ２  ・・・  防塵板解放位置
【図１】
2011131989.tif 000003
【図２】
2011131989.tif 000004
【図３】
2011131989.tif 000005
【図４】
2011131989.tif 000006
【図５】
2011131989.tif 000007
【図６】
2011131989.tif 000008
【図７】
2011131989.tif 000009